(57)【要約】【課題】押圧や衝撃、振動、落下などがあっても確実に上蓋を閉鎖保持し、上蓋先端に誤開封する異物が挿入できない機構を有し、安価で生産性の高い蓋を得る。【解決手段】開口部（２１）を有する枠部（２）と、開口部を覆う上蓋（４）と、からなる開閉可能な蓋において、枠部と上蓋はヒンジ（５）で繋がり、枠部と上蓋とのヒンジと反対側に、互いに嵌合する係止部を有し、上蓋の係止部側の端部にヒンジを介して回動可能な押さえ板（７）を有し、枠部の係止部側の左右近傍に、押さえ板に当接可能な係合ピン（２６）を有し、上蓋と枠部が閉じた状態で、押さえ板が下向きに押し下げられて係合ピンに当接し、押さえ板が回動不能となることを特徴とする蓋部材。【選択図】図１
2019094062.tif 000002
【特許請求の範囲】
【請求項１】
開口部を有する枠部と、前記開口部を覆う上蓋と、からなる開閉可能な蓋部材において、
枠部と上蓋はヒンジで繋がり、
枠部と上蓋とのヒンジと反対側に、互いに嵌合する係止部を有し、
上蓋の係止部側の端部にヒンジを介して回動可能な押さえ板を有し、
枠部の係止部側の左右近傍に、押さえ板に当接可能な係合ピンを有し、
上蓋と枠部が閉じた状態で、押さえ板が下向きに押し下げられて係合ピンに当接し、
押さえ板が回動不能となることを特徴とする蓋部材。
【請求項２】
押さえ板外面にリブを設け、押さえ板が、回動でヒンジの内面どうしが当接する角度と、押さえ板外面のリブの傾斜角度とを、同じ角度に形成したことを特徴とする請求項１に記載の蓋部材。
【請求項３】
上蓋と押さえ板とを繋ぐヒンジが、内面側で繋止するヒンジであることを特徴とする請求項１又は２に記載の蓋部材。
【請求項４】
枠部の略中央に形成した開口部が、脆弱部を介して、開封可能な密封内蓋を有することを特徴とする請求項１〜３のいずれかに記載の蓋部材。
【請求項５】
上蓋内側と開口部周縁の間に、互いに密封可能な嵌合突起と嵌合凹部とを有していることを特徴とする請求項１〜４のいずれかに記載の蓋部材。
【請求項６】
請求項１〜５いずれかに記載の蓋部材を有することを特徴とする容器。
【発明の詳細な説明】
【技術分野】
【０００１】
本発明は、コンパクトやウェットティッシュ、薬等の保存容器に用い、蓋を誤って開封してしまうことを防止できる蓋部材、および、それを有する容器に関する。
【背景技術】
【０００２】
クリームタイプ、リキッドタイプなどのファンデーションを収納するコスメティックコンパクトや、ウェットティッシュ、化粧落としなど、液体を含有した不織布や紙素材などを収納する軟包装材料、あるいは硬質の射出成形容器などで構成される容器は、開封後、内部の揮発成分等が抜けないように、かつ、内容物が漏れて、ハンドバック内部などを汚すことがないよう、蓋を設けた容器が必要である。
【０００３】
以上の問題に対し、特許文献１では、ウェットティッシュを収納する包装用袋体が、ウェットティッシュを取り出す為の裂け目、あるいは窓部を有し、その窓部を窓部よりも大きな形状の封止シートが、封止シート裏面に形成した粘着層を介して覆い、粘着層によって止着することによって、袋体内部のウェットティッシュが乾かず、また、水等が外に漏れない包装用袋体を提案している。
【０００４】
しかしながら、この容器は、粘着剤を使用しているので、その部分に容器内部の液体が浸みだして、粘着剤の粘着力が低下し、封止シートがめくれてしまう問題が発生しやすい。
また、包装用袋体も、封止シートも可撓性の高いフィルムで構成されているので、シワなどによって、部分的に密着していない箇所を生じ易く、密封性が不確実で、特に、長期に渡って保存した時には、内部の液体が揮発して乾燥してしまうなどの問題があった。
【０００５】
また、特許文献２では、射出成形された取り出し用の取出口と、ヒンジを介して起倒可能な取出口を開閉する蓋板を有すると共に、簡易弾性反転手段によって閉蓋、開蓋態勢を維持可能としたことを特徴とする蓋板付き取出口を提案している。
【０００６】
この蓋板付き取出口は、後端部上面を簡易弾性反転手段なる短突片が滑動し、蓋板を弾性変形させつつ、弾力に抗して起立、あるいは閉蓋態勢に保持する機構を構築している。しかし、この方法では、口板と蓋板が別体で形成されているので、金型、成形、組み立てなどでコストが掛かり、また、閉蓋時の閉鎖力が大きくできないので、かばんの中でゆれて、他のものが蓋部に当たったり、かばんが落下したりするなどして、わずかな押圧や衝撃、振動などで蓋と容器の間に隙間が生じ、蓋先端にスティック状や板状のものが突き刺さるなどして、誤開封してしまうなど、密封性に不確実性が伴う問題があった。
さらに、このような取出口は、単に閉蓋を確実にしようとすると、閉蓋の嵌合をきつくするしか手段がなく、反対に、蓋が開けにくく、使用勝手が悪くなるなどの問題もあった。また、蓋部材をロックする構造を持たせる方法もあるが、ロックを解除する工程と、蓋部材を開口する工程とが、別々で、作業が煩雑になり、消費者の使い勝手が悪く、敬遠される問題もあった。
【先行技術文献】
【特許文献】
【０００７】
【特許文献１】実開平１−６３４９１号公報
【特許文献２】特許第３７２５３５０号公報
【発明の概要】
【発明が解決しようとする課題】
【０００８】
そこで、押圧や衝撃、振動、落下などがあっても確実に上蓋を閉鎖保持可能で、上蓋先端に誤開封する異物が挿入できない機構を有し、安価で生産性の高い蓋部材を得ることが本発明の課題である。
【課題を解決するための手段】
【０００９】
本発明の蓋部材は、
開口部を有する枠部と、前記開口部を覆う上蓋と、からなる開閉可能な蓋部材において、枠部と上蓋はヒンジで繋がり、
枠部と上蓋とのヒンジと反対側に、互いに嵌合する係止部を有し、
上蓋の係止部側の端部にヒンジを介して回動可能な押さえ板を有し、
枠部の係止部側の左右近傍に、押さえ板に当接可能な係合ピンを有し、
上蓋と枠部が閉じた状態で、押さえ板が下向きに押し下げられて係合ピンに当接し、
押さえ板が回動不能となることを特徴とする蓋部材である。
【発明の効果】
【００１０】
本発明の蓋部材は、押さえ板の両脇に係合ピンが当接して開封開始部分をロックしており、押さえ板の中央に指先を差し込み、押さえ板を回動して引き上げることで、ロックを解除可能となる。小さな振動や衝撃があっても、確実に閉蓋状態を保持することができる蓋である。また、ロックを解除する工程と開口する工程が連続して行なわれるので、作業性が良い。さらに、ヒンジで蓋部と枠部とが一体で生産可能なので、金型も最少でかつ、安価に生産可能である。
【図面の簡単な説明】
【００１１】
【図１】本発明の蓋部材において、密封内蓋が未開封で、かつ、上蓋を開けた状態の平面図である。
【図２】本発明の蓋部材において、密封内蓋が未開封で、かつ、上蓋を開けた状態における側面図と、その断面図である。
【図３】本発明の蓋部材において、上蓋を閉めて押さえ板を係止し、封止した状態を示す平面図と正面断面図である。
【図４】本発明の蓋部材において、上蓋を閉めて係止した状態から、係止を外して上蓋や密封内蓋を開ける工程を示す縦断面図である。
【図５】本発明の蓋部材において、上蓋と、枠部と、蓋部材を融着した容器における開口部の縦断面図と、枠部の正面外観図である。
【図６】本発明の蓋部材において、密封内蓋が未開封で、かつ、上蓋を開けた状態の底面図である。
【図７】本発明の蓋部材において、係合ピンの形状や押さえ板のヒンジ開閉角度を変えた実施形態例を示す拡大断面図である。
【発明を実施するための形態】
【００１２】
以下、本発明の蓋部材の実施形態例について、図を用いて詳細に説明する。
図１は、本発明の蓋部材において、枠部２の略中央に設けた開口部２１に設けられた密封内蓋３が未開封で、かつ、開口部２１を覆う上蓋４を開けた状態における平面図である。枠部２と上蓋４はヒンジ５で繋がり、上蓋４のヒンジ５と反対側に押さえ板７を有している。
【００１３】
枠部２は、外周囲に包装袋８と融着可能なフランジ２２を有し、略中央に開口部２１を有している。開口部２１の近傍に、封止突起２３を上蓋側に突出して、内側封止リング４１１と外側封止リング４１２からなる封止リング４１に挿嵌し、封止可能になっている。外側封止リング４１２のヒンジと反対側には、特に封止突起２３に強く嵌合して係止可能な係止突起４１０を有している。
さらに、封止突起２３の外側には、上蓋４の外周突起４２と挿嵌可能な嵌合突起２４を有している。
【００１４】
嵌合突起２４は、ヒンジ５両端から、開口部２１を包むようにヒンジ５と反対側に伸びて形成され、その先端となる係止部近傍は切り欠かれた形で形成されている。
切り欠かれた嵌合突起２４の先端近傍の内側には、押さえ板７を係止する係合ピン２６が左右に設けられ、左右の係合ピン２６の間には、指先を挿入し易いように、周囲よりも深い凹部６が設けられている。
【００１５】
開口部２１には、脆弱部３１を介して、開封可能な密封内蓋３が設けられている。
密封内蓋３には、脆弱部３１の周縁の一端に支柱３２を形成し、支柱３２に繋着した開封リング３３を有している。
脆弱部３１は、開口部内側に沿って周設するように構成されている。
この為、開封リング３３を持ち上げると、支柱３２から開口部周縁に沿って密封内蓋３の脆弱部３１を破断させながら開口可能となる。
【００１６】
押さえ板７は上蓋４のヒンジ５と反対側にあって、ヒンジ７１を介して上蓋４に対し回動可能に設けられ、ヒンジ７１を弦とし、ヒンジ７１の両端から延びた円弧からなる弓形状に形成されている。また、ヒンジ７１は、内側の面で上蓋４に繋止し、押さえ板７の表側にヒンジ７１に向かって傾斜したリブ７２を有している。
【００１７】
図２は、本発明の蓋部材において、図２−１が上蓋４を開けた状態における側面図で、図２−２がその断面図である。
上蓋４は、枠部２にヒンジ５を介して回動可能に繋止し、上蓋４を回動することによって開閉し、開口部２１から内容物を取り出し可能にしている。
開口部２１には、密封内蓋３が全周囲に形成された脆弱部３１を介して封止し、密封内蓋３の外面側に、支柱３２を介して開封リング３３が繋止されている。
枠部２のヒンジ５と反対側嵌合突起２４は、切り欠かれ、上蓋４を開封しやすくしている。
【００１８】
凹部６は、その断面を、拡大断面図で示した。凹部６は、その押さえ板７の中央先端にまで、深く指先を挿入しやすいように、部分的に深くしている。
部分的に深くしたのは、棒のようなものなどが容易に入って、上蓋４が開いてしまわないように上部を狭くする為と、指先を押さえ板７先端に差し込み、押さえ板７を引き上げる隙間を作って、開口し易くする為で、充分な深さを必要としている。
【００１９】
また、枠底２５がフランジ２２よりも充分に低く設けているのは、成形によるフランジのゆがみが生じにくくさせる為である。また、凹部６周縁の枠底２５は、上蓋４が封止リング４１と封止突起２３に挿嵌している状態から、指先を上蓋先端に差し込み、上蓋４を引き上げる隙間を作って、開口し易くする為、充分な深さを必要としている。
【００２０】
図３は、本発明の蓋部材において、上蓋４を閉めて押さえ板７を係合ピン２６に係止した状態を示す図で、図３−１がその平面図、図３−２が図３−１に示すＥ−Ｅにおける縦断面図である。
ヒンジ５を介して上蓋４が回動し、嵌合突起２４の内側に上蓋４が挿嵌している。
押さえ板７は、上蓋４と凹部６との隙間にあって、わずかな隙間しかなく、凹部６の範囲も狭いので、アイブロー、アイライン、マスカラ、ブラシ、口紅などのスティック状のものが入り込めないようになっている。
係合ピン２６は押さえ板７の長さ（幅）が短い左右にだけ当接している。しかし、指先で
引き起こす押さえ板７の中央部分の長さ（幅）は長いので、指先の小さな力で押さえ板７を回動し、係止を解くことができる。
【００２１】
図４は、本発明の蓋部材において、上蓋４を閉めて、押さえ板７で係止した状態から、係止を外し、上蓋４を開ける工程を示す縦断面図である。
図４−１は、押さえ板７の左右に係止した係合ピン２６近傍の係止状態を示すＤ‘−Ｄ’部分の縦断面図である。
上蓋４を閉じて、押さえ板７を係止する為、ヒンジ７１を軸に内側（下方）に回動し、左右の係合ピン２６に係止する工程である。
図３−２で示すように、係合ピン２６が係止している押さえ板７の左右は、長さ（幅）が短く、係止しやすくなっている。
【００２２】
図７−１は、押さえ板７の左右に係止した係合ピン２６の根元に、ストッパー２６１を併設した実施形態例の、係止状態を示す縦断面図である。係合ピンの下方に、このようなストッパーからなる台座を設けると、確実に一定の高さで押さえ板７を係止することができる。
【００２３】
また、図７−２、図７−３は、押さえ板７が係合ピンに係止した状態の押さえ板７の傾斜角度Ｑを、その時のヒンジの開閉角度Ｐとした実施形態例を示す拡大断面図である。
図７−２は、押さえ板７の係止状態を示し、図７−３は押さえ板７を引き上げ、上蓋４を引き上げて、開口する状態を示す図で、押さえ板７が係合ピンに係止した状態の押さえ板７の傾斜角度をＱ、係止した時のヒンジの開閉角度をＰとしている。
上蓋４を開口する場合に、押さえ板７の係止状態を解除する時に、押さえ板７先端を指先に掛けて引き上げると、ヒンジの開角度分が閉まり、ヒンジの内面どうしが当接する。
この時、押さえ板７の傾斜角度Ｑが、係止した時のヒンジの開閉角度Ｐになるので、ヒンジの内面どうしが当接する時には、押さえ板７が上蓋の蓋板４０と一直線になる。
この為、押さえ板７が水平になり、押さえ板７の先端が上蓋のヒンジから一番遠く、長くなって、上蓋を開口しやすくなる。
なお、係止した時のヒンジの開閉角度Ｐを、係止時の押さえ板７の傾斜角度Ｑより大きくすると、開口時に、押さえ板がその差分、上向きになり、指先の当たり面が増加し、開口しやすくなる。
【００２４】
図４−２は、上蓋４を閉め、押さえ板７が係止している状態における、Ａ‘−Ａ’断面の係止状態を示す縦断面図とその拡大図である。
押さえ板７外面にリブ７２を設け、押さえ板７が、回動でヒンジ７１両端が当接する角度と、押さえ板７外面に対するリブ先端の角度とを、同じ角度に形成している。
さらに、ヒンジ７１が、上蓋４と内側面で繋止した形状であるので、ヒンジ７１を形成している肉盗みの傾斜角度が開いた状態となり、リブ７２の傾斜面が水平となり、フランジ２２の面に平行にしている。
【００２５】
図４−３は、凹部６に指を突っ込んで、押さえ板７中央の先端に指先を引掛ける工程を示す断面図と、引掛けた指先を引き上げて、係合ピン２６に係止する押さえ板７を起こす工程を示す部分拡大した縦断面図である。
凹部６に指を突っ込んで、押さえ板７中央の先端に指先を引掛ける工程では、押さえ板７先端にリブ７２があるので、押さえ板７をしっかりと引き上げるきっかけになる。特に図４−１で示すように、円弧状（弓形状）の外形によって、係合ピン２６に係止している部分の押さえ板７は長さが短く、小さな力で係合ピン２６から外れやすい。
ヒンジ７１を軸に回動させて、押さえ板７を外側に引き出す。
【００２６】
図４−４は、蓋部材の押さえ板７の係止解除以降の開封工程を示した。
すなわち、押さえ板７の係合ピン２６との係止を解除後、枠部２の内側の封止突起と、開口部周縁の封止リングの嵌合を外し、ヒンジ５を軸に上蓋４を回動させて、上蓋を開ける。
次に、開口部の周縁で脆弱部３１を介する密封内蓋３に設けられた開封リング３３に指を引掛けて引き上げ、開封リング３３の一端に繋止する支柱３２を介して、脆弱部３１で囲まれた密封内蓋３を、梃子の原理を使用して、支柱３２近傍から順に脆弱部３１の伸びる線に沿って脆弱部３１を引き裂きながら、開封させる。
合わせて、図６に本発明の蓋部材において、密封内蓋３が未開封で、かつ上蓋４を開けた状態の底面図を示している。
このことによって、未開封時には輸送等の振動や気温・気圧の変化などに対応して密封していた密封内蓋３であるが、使用開始時には、上記工程によって、密封内蓋３を確実に開口部から外し、開口することができる。
【００２７】
図５は、本発明の蓋部材で、上蓋４と、枠部２と、それらが嵌合した蓋部材を包装袋８に融着した包装容器１における開口部中心で切断した各々の縦断面図と、枠部２の正面外観図である。
図５−１は、上蓋４の横断面図で、蓋板４０から内側に垂下した内側封止リング４１１と、外側封止リング４１２とからなる封止リング４１である。
内側封止リング４１１は、蓋板４０に対して、やや外側に傾斜したリング形状になっている。
【００２８】
図５−２は、密封内蓋３が未開封状態における枠部２の横断面図である。
外周囲に包装袋と融着可能なフランジ２２を有し、中央に開口部２１があって、密封内蓋３で閉鎖されている。
密封内蓋３の周囲には脆弱部３１があって、開口部周縁の枠部２と繋がって、開口部２１を封止している。また、密封内蓋には、支柱３２を介して開封リング３３が繋止されている。
開口部２１の周縁には、封止突起２３が上蓋側に突出して形成されている。
さらに、封止突起２３の外側には、上蓋４の外周突起４２と挿嵌可能な嵌合突起２４を有している。
【００２９】
図５−３は、ヒンジ反対側から見た、蓋部材の外観を示す正面図である。
フランジ２２の上方に、嵌合突起２４が周設されている。嵌合突起２４の正面側中央は切り欠かれ、押さえ板７の係止を解除する時に指を差し込みやすくしている。
【００３０】
図５−４は、上蓋４と枠部２が嵌合した蓋部材を、包装袋８に融着し、かつ、内部に内容物であるウェットティッシュ９を収納した包装容器１における開口部近傍の縦断面図である。
フランジ２２外面側に、包装袋８の開口部内面が融着し、枠部２の嵌合突起２４内側に上蓋４の外周突起４２が挿嵌している。
また、枠部２の封止突起２３を内側封止リング４１１と外側封止リング４１２とが挟み込むようにして封止している。
封止突起２３外側先端近傍には係止しやすいように外側に膨らんだ突起形状を有し、かつ、内外の先端近傍には曲線部（曲面部）が設けられている。
さらに、内側封止リング４１１が外側に傾斜しているので、上蓋４を閉める時に、内容物が封止突起２３内側に付着していても、拭いながら閉鎖し、密封性を低下させず、確実に封止可能とすることができる。
特に密封内蓋３は、脆弱部３１が封止突起２３内面よりもさらに内側に設けているので、密封内蓋３を開封する時に、封止突起２３を傷めずに開封可能である。
【００３１】
本発明の蓋部材に使用する材料は、高圧法低密度ポリエチレン、直鎖状低密度ポリエチレン、中密度ポリエチレン、高密度ポリエチレン、ブロック・エチレン・ポリプロピレン共重合体、ランダム・エチレン・ポリプロピレン共重合体、エチレン・酢酸ビニル共重合体などの樹脂単体、あるいはそれらを混合した熱可塑性で融着性の高い樹脂が使用できる。
これらは、射出成形金型を用い、一般的な射出成形機で量産できるので、生産性も高い。
【００３２】
本発明の包装袋に使用する積層フィルムは、内面に高圧法低密度ポリエチレン、直鎖状低密度ポリエチレン、エチレン・酢酸ビニル共重合体などの融着性の高い熱可塑性樹脂を使用し、基材として外側に、２軸延伸されたポリエチレンテレフタレート樹脂、２軸延伸ポリアミド樹脂、２軸延伸ポリプロピレン樹脂などの樹脂フィルムを積層した積層フィルムを使用することができる。
さらに、内面と基材の中間にアルミニウムなどの金属箔や、酸化珪素などの酸化金属を蒸着した蒸着層を積層したり、ポリアミドなどの可撓性の高い樹脂層を積層した積層フィルムを使用してもよい。
これらは、一般的なドライラミネーション機やエクストルーダーラミネーション機などによって製造できる。
もちろん、包装袋を融着せず、フランジの代わりに、蓋部材全体が容器の上蓋になって、その下方に容器本体を挿嵌した容器にすることも可能である。
【００３３】
本発明の蓋部材は、上蓋先端に弓形状の押さえ板を設けたもので、係止する係合ピンとの係止は左右の長さが短い部分で行なうので、係止しやすく、かつ、解除も梃子の原理で無理なくできる構造になっている。更に、部分的に設けた凹みに押さえ板が係止されるので、押さえ板が押し込まれる凹部６は隙間が狭く、ハンドバック内などにおいて、アイブロー、アイライン、マスカラ、ブラシ、口紅などのスティック状のものが入り込むほどの隙間がなく、誤動作で、上蓋が開封することを阻止することができる。
上蓋先端の係止突起は、枠部の封止突起に強く係止可能な嵌合にすることができ、開封時には、指先で押さえ板を引掛けて係止を解除し、その状態の押さえ板に指を引掛けたまま、さらに引き上げ、上蓋先端を開けることができるので、開封操作も簡単で、かつ、容易である。
しかも、密封内蓋を内側に設けられるので、長期保存にも対応できると共に、ヒンジで上蓋と枠部を一体で生産可能なので、金型も最少で、生産性も高く、かつ、安価に生産可能であるなど、本発明のメリットは高い。
【符号の説明】
【００３４】
１・・・・・・・・・包装容器
２・・・・・・・・・枠部
２１・・・・・・・・開口部
２２・・・・・・・・フランジ
２３・・・・・・・・封止突起
２４・・・・・・・・嵌合突起
２５・・・・・・・・枠底
２６・・・・・・・・係合ピン
３・・・・・・・・・密封内蓋
３１・・・・・・・・脆弱部
３２・・・・・・・・支柱
３３・・・・・・・・開封リング
４・・・・・・・・・上蓋
４０・・・・・・・・蓋板
４１・・・・・・・・封止リング
４１０・・・・・・・係止突起
４１１・・・・・・・内側封止リング
４１２・・・・・・・外側封止リング
４２・・・・・・・・外周突起
５・・・・・・・・・ヒンジ
６・・・・・・・・・凹部
７・・・・・・・・・押さえ板
７１・・・・・・・・ヒンジ
７２・・・・・・・・リブ
８・・・・・・・・・包装袋
９・・・・・・・・・内容物（ウェットティッシュ）
Ｐ・・・・・・・・・開閉角度（押さえ板係止時のヒンジ部）
Ｑ・・・・・・・・・傾斜角度（押さえ板係止時）
【図１】
2019094062.tif 000003
【図２】
2019094062.tif 000004
【図３】
2019094062.tif 000005
【図４】
2019094062.tif 000006
【図５】
2019094062.tif 000007
【図６】
2019094062.tif 000008
【図７】
2019094062.tif 000009